(57)【要約】      （修正有）【課題】ＬＥＤバルブの外形を変えることなく、交換と使用の利便を図ることができ、散熱を迅速に行うことができ、ＬＥＤバルブの過熱により生じる損壊現象の発生を大幅に低下させることができるＬＥＤバルブを提供する。【解決手段】ランプハウジング３１に連接するランプキャップ３２、ランプハウジング３１内に設置する芯管３３、該芯管３３上に設置する複数のＬＥＤプレート３４、該ＬＥＤプレート３４のオン/オフを制御するコントローラー３５を備え、コントローラー３５は、芯管３３の収容設置空間内に設置し、これによりＬＥＤバルブ３の外形を変えることなく、交換と使用の利便を図ることができ、芯管３３とランプキャップ３２の連接を通して、ＬＥＤプレート３４の使用時に発生する熱エネルギーは、芯管３３、ランプキャップ３２、ランプハウジング３１位置を経由して導引され、こうして迅速に散熱され、過熱により生じるＬＥＤバルブ３の損壊現象の発生を大幅に低下させることができる。【選択図】図４
0003168786.tif 000002
【実用新案登録請求の範囲】
【請求項１】
ランプハウジング、前記ランプハウジングに連接するランプキャップ、前記ランプハウジング内に設置する芯管、前記芯管上に設置する複数のＬＥＤプレート、前記ＬＥＤプレートのオン/オフを制御するコントローラーを備え、
前記芯管中心には、中空の収容設置空間を形成し、
前記コントローラーは、前記収容設置空間内に設置し、
前記芯管の一端は、前記ランプキャップと相互に接続し、
これにより、前記ＬＥＤプレートが発する熱エネルギーは、前記芯管、前記ランプキャップ、前記ランプハウジング位置を経由して迅速に散熱されることを特徴とするＬＥＤバルブ。
【請求項２】
前記ランプハウジングは、光透過部、及び前記光透過部に連接し、しかも反対端が前記ランプキャップと連接する散熱部を備えることを特徴とする請求項２に記載のＬＥＤバルブ。
【請求項３】
前記散熱と前記芯管との間には、複数の散熱リブを間隔を開けて設置することを特徴とする請求項２に記載のＬＥＤバルブ。
【請求項４】
前記ランプハウジングと前記ランプキャップの接合位置には、散熱ジェルを設置することを特徴とする請求項１或いは２にＬＥＤバルブ。
【請求項５】
前記芯管外周囲には、複数の定位リブを突出状に設置し、これにより前記各ＬＥＤプレートを係合して定位することを特徴とする請求項１或いは２に記載のＬＥＤバルブ。
【考案の詳細な説明】
【技術分野】
【０００１】
本考案はＬＥＤバルブに関し、特に優れた散熱効果を備えるＬＥＤバルブに関する。
【背景技術】
【０００２】
図１に示すように、従来のＬＥＤバルブ１は、ランプキャップ１１、ランプキャップ１１と相互に連接するバルブ台１２、バルブ台１２上に設置するランプハウジング１３、ランプハウジング１３内に設置する芯管１４、芯管１４上に設置する複数のＬＥＤプレート１５、芯管１４と相互に連接し、しかもバルブ台１２内に設置するバルブ芯台１６、バルブ芯台１６に連接する回路板１７を備える。芯管１４は、軸線を中心として、環状に配置し中空の柱体を形成する。同時に、芯管１４上には、複数の凹槽１４１を開設する。これにより、各ＬＥＤプレート１５は、凹槽１４１中に設置することができ、芯管１４の設置により、照明面積を拡大し、しかも芯管１４の中空設計、及びバルブ芯台１６の設置を利用し、散熱効果を達成することができる。よって、これによりＬＥＤバルブ１は、照明と散熱の効果を同時に実現している。
【０００３】
しかし、実際の使用により、以下の欠点が発見された。一つは、芯管１４とバルブ芯台１６を連接させ、バルブ芯台１６をバルブ台１２内に設置するが、バルブ台１２の設置関係により、それが占める体積が過大であるという点である。これにより、ＬＥＤバルブ１が照明に用いることができる空間は阻害を受け、各ＬＥＤプレート１５の照明面積もいくらかの影響を受けている。さらに、バルブ芯台１６は、散熱効果を備えるが、バルブ芯台１６は、バルブ台１２内に包まれるため、芯管１４を経て導引され発散される熱は、バルブ台１２に覆われていることで、なかなか散逸しない。もし、ＬＥＤバルブ１が、点灯を続け、熱エネルギーを出し続ければ、バルブ台１２内の温度を低下させることはできず、反対に、高温環境下では、回路板１７とＬＥＤプレート１５の過熱と、それによる損壊を間接的に招いてしまう。本考案は、従来のＬＥＤバルブの上記した欠点に鑑みてなされたものである。      
【考案の概要】
【考案が解決しようとする課題】
【０００４】
本考案が解決しようとする課題は、ＬＥＤバルブの外形を変えることなく、交換と使用の利便を図ることができ、散熱を迅速に行うことができ、ＬＥＤバルブの過熱により生じる損壊現象の発生を大幅に低下させることができるＬＥＤバルブを提供することである。
【課題を解決するための手段】
【０００５】
上記課題を解決するため、本考案は下記のＬＥＤバルブを提供する。
ＬＥＤバルブは、ランプハウジング、該ランプハウジングに連接するランプキャップ、該ランプハウジング内に設置する芯管、該芯管上に設置する複数のＬＥＤプレート、該ＬＥＤプレートのオン/オフを制御するコントローラーを備え、
該コントローラーは、該芯管の収容設置空間内に設置し、
これにより、ＬＥＤバルブの外形を変えることなく、使用者が自ら交換することができるだけでなく、使用の利便性を拡大することができ、
しかも、該芯管の一端と該ランプキャップを相互に連接させて設置するため、ＬＥＤプレートの使用時に発生する熱エネルギーは、該芯管、該ランプキャップ、該ランプハウジング位置を経由して導引され、こうして迅速に散熱され、過熱により生じるＬＥＤバルブの損壊現象の発生を大幅に低下させることができる。
【考案の効果】
【０００６】
本考案のＬＥＤバルブは、コントローラーを芯管内に設置することで、従来のバルブ外形に適用させて設置可能で、しかも空間を占拠せず、使用者が自ら交換することができるだけでなく、使用の利便性を拡大することができる。しかも、芯管とランプキャップを相互に連接させて設置するため、照明の輝度が阻害を受けず完全に発せられ、さらに熱エネルギーを迅速に導引し、ランプキャップ、ランプハウジング位置を通して迅速に発散されるため、最適な散熱効果を達成することができる。こうして、ＬＥＤバルブが、高熱により損壊してしまうという欠点を改善できるため、考案の目的を確実に達成することができる。
【図面の簡単な説明】
【０００７】
【図１】従来のＬＥＤバルブの模式図である。
【図２】本考案第一実施例の立体分解図である。
【図３】本考案第一実施例の立体図である。
【図４】本考案第一実施例の模式図である。
【図５】本考案第二実施例の立体図である。
【考案を実施するための形態】
【０００８】
以下に図面を参照しながら本考案を実施するための最良の形態について詳細に説明する。
【実施例】
【０００９】
本考案ＬＥＤバルブ第一実施例の立体分解図、立体図である図２、３に示すように、ＬＥＤバルブ３は、ランプハウジング３１、ランプハウジング３１に連接するランプキャップ３２、ランプハウジング３１内に設置する芯管３３、芯管３３上に設置する複数のＬＥＤプレート３４、ＬＥＤプレート３４のオン/オフを制御するコントローラー３５を備える。内、ランプハウジング３１、ランプキャップ３２、ＬＥＤプレート３４、コントローラー３５は、従来の構造と相同であるため、詳述は行わない。芯管３３中心には、中空の収容設置空間３３１を形成し、ここにコントローラー３５を収容設置する。芯管３３は、さまざまな形状の設計とすることができ、本実施例では、八角形を例とする。芯管３３外周囲には、複数組の定位リブ３３２を突出状に設置し、定位リブ３３２中には、各ＬＥＤプレート３４をそれぞれ係合し定位する。さらに、芯管３３の一端は、ランプキャップ３２と相互に接続し、これによりＬＥＤプレート３４が発する熱エネルギーは、芯管３３、ランプキャップ３２、ランプハウジング３１位置を経由して伝動され、散熱される。ランプハウジング３１位置による、熱エネルギーの迅速な発散を強化するため、本実施例では、ランプハウジング３１とランプキャップ３２の接合位置に、散熱ジェル３６(図４参照)を増設する。
【００１０】
図３、４に示すように、組立て後、コントローラー３５は、芯管３３の収容設置空間３３１内に設置される。そのため、コントローラー３５は、図１に示す全体的外形と相同な従来のＬＥＤバルブ１上に装置される。しかも、これにより、過大な空間を占拠することなく、各ＬＥＤプレート３４の照明のオン/オフを制御することができ、さらに分解と交換が随時可能となり、使用の利便性を高めることができる。使用時には、コントローラー３５に通電すると、各ＬＥＤプレート３４を起動して発光させる。同時に、各ＬＥＤプレート３４は、芯管３３上に設置し、しかも芯管３３は、ヘッド３２に直接連接するため、ＬＥＤバルブ３の輝度は一切の遮蔽を受けず、各ＬＥＤプレート３４が発する光は完全に外へと発せられる。さらに、各ＬＥＤプレート３４が発光する時に発する熱エネルギーは、中空の芯管３３により導出される。加えて、芯管３３がランプキャップ３２上に連接するため、ランプキャップ３２とランプハウジング３１は直接連接を呈し、これにより散熱面積は大幅に拡大する。よって、熱エネルギーは、ランプキャップ３２とランプハウジング３１位置を通して、迅速に発散される。こうして、ＬＥＤプレート３４の発光が生じる熱エネルギーが、ＬＥＤバルブ３内に囲われ続け、ＬＥＤバルブ３が高熱により損壊してしまう現象の発生を回避できるばかりか、最適な散熱効果を達成することができる。
【００１１】
本考案第二実施例の立体図である図５に示すように、ＬＥＤバルブ３は第一実施例同様、ランプハウジング３１、ランプキャップ３２、芯管３３、ＬＥＤプレート３４、コントローラー３５を備える。ランプハウジング３１は、光透過部３１１、光透過部３１１に連接し、しかも反対端がランプキャップ３２と連接する散熱部３１２を備える。散熱３１２と芯管３３間には、複数の散熱リブ３７を間隔を開けて設置する。これにより、ＬＥＤプレート３４の発光時に生じる熱エネルギーは、芯管３３、ランプキャップ３２により発散される他、さらに散熱リブ３７、散熱部３１２により散熱され、ＬＥＤバルブ３の散熱面積を大幅に拡大し、散熱効果をさらに向上させることができる。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１４】
３  ＬＥＤバルブ
３１  ランプハウジング
３１１  光透過部
３１２  散熱部
３２  ランプキャップ
３３  芯管
３３１  収容設置空間
３３２  定位リブ
３４  ＬＥＤプレート
３５  コントローラー
３６  散熱ジェル
３７  散熱リブ
【図１】
0003168786.tif 000003
【図２】
0003168786.tif 000004
【図３】
0003168786.tif 000005
【図４】
0003168786.tif 000006
【図５】
0003168786.tif 000007
【手続補正書】
【提出日】平成23年4月27日(2011.4.27)
【手続補正１】
【補正対象書類名】実用新案登録請求の範囲
【補正対象項目名】全文
【補正方法】変更
【補正の内容】
【実用新案登録請求の範囲】
【請求項１】
ランプハウジング、前記ランプハウジングに連接するランプキャップ、前記ランプハウジング内に設置する芯管、前記芯管上に設置する複数のＬＥＤプレート、前記ＬＥＤプレートのオン/オフを制御するコントローラーを備え、
前記芯管中心には、中空の収容設置空間を形成し、
前記コントローラーは、前記収容設置空間内に設置し、
前記芯管の一端は、前記ランプキャップと相互に接続し、
これにより、前記ＬＥＤプレートが発する熱エネルギーは、前記芯管、前記ランプキャップ、前記ランプハウジング位置を経由して迅速に散熱されることを特徴とするＬＥＤバルブ。
【請求項２】
前記ランプハウジングは、光透過部、及び前記光透過部に連接し、しかも反対端が前記ランプキャップと連接する散熱部を備えることを特徴とする請求項１に記載のＬＥＤバルブ。
【請求項３】
前記散熱部と前記芯管との間には、複数の散熱リブを間隔を開けて設置することを特徴と
する請求項２に記載のＬＥＤバルブ。
【請求項４】
前記ランプハウジングと前記ランプキャップの接合位置には、散熱ジェルを設置することを特徴とする請求項１或いは２にＬＥＤバルブ。
【請求項５】
前記芯管外周囲には、複数の定位リブを突出状に設置し、これにより前記各ＬＥＤプレートを係合して定位することを特徴とする請求項１或いは２に記載のＬＥＤバルブ。